(57)【要約】      （修正有）【課題】無線操縦ができない電動式おもちゃの乗り物を改造したり破棄したりせずに、無線操縦ができるようにした無線受信駆動装置を提供する。【解決手段】電動式おもちゃ乗り物１００の電池収納部に、電池５０と無線受信駆動装置受信基板部２０を収納した箱形無線受信駆動装置を収納する。該無線受信駆動装置受信基板部２０の出力端子をモーター１０７の入力端子に接続する。電池５０の出力を無線受信駆動装置受信基板部２０の主要構成要素は、アンテナ、受信ＩＣ、同調回路、増幅回路、ＩＣ制御マイクロコンピュータおよびＩＣモータドライバーである。【選択図】図４
0003143765.tif 000002
【実用新案登録請求の範囲】
【請求項１】
（イ）外観は円柱形状で、円柱形状の側面に電池５０を無線受信駆動装置電池収納部３０に出し入れするための扉開閉部１５を設ける。
（ロ）円柱形状の上底部に無線受信駆動装置電極端子Ａ１１を設ける。
（ハ）円柱形状の下底部に無線受信駆動装置電極端子Ｂ１２を設ける。
（ニ）円柱形状の内部に無線受信駆動装置受信基板部２０を設ける。
（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。
（ヘ）円柱形状の内部に電池５０を収納する無線受信駆動装置電池収納部３０を設ける。
（ト）無線受信駆動装置電池収納部３０に、収納する電池５０の正極端子５１と接合する無線受信駆動装置電池収納部正極端子３１を設ける。
（チ）無線受信駆動装置電池収納部３０に、収納する電池５０の負極端子５２と接合する無線受信駆動装置電池収納部負極端子３２を設ける。
（リ）無線受信駆動装置電池収納部正極端子３１と無線受信駆動装置受信基板部２０の昇圧装置２１は導線４３で結ばれている。
（ヌ）無線受信駆動装置電池収納部負極端子３２と無線受信駆動装置受信基板部２０の昇圧装置２１は導線４４で結ばれている。
（ル）無線受信駆動装置電極端子Ａ１１と無線受信駆動装置受信基板部２０の出力端子Ａ４１は導線４５で結ばれている。
（ヲ）無線受信駆動装置電極端子Ｂ１２と無線受信駆動装置受信基板部２０の出力端子Ｂ４２は導線４６で結ばれている。
以上のごとく構成された、無線受信駆動装置１０。
【考案の詳細な説明】
【技術分野】
【０００１】  この考案は、無線操縦ができない電動式おもちゃの乗り物の電池収納部にセットし、無線操縦ができるようにした無線受信駆動装置に関するものである。
【背景技術】
【０００２】  無線操縦ができない電動式おもちゃの乗り物１００は、電池１０４を電池収納部１０１にセットして遊ぶ。（図１参照）
【考案の開示】
【考案が解決しようとする課題】
【０００３】  この電動式おもちゃの乗り物１００は、このままでは無線操縦できないという欠点があった。
本考案は、これを解決するためになされたものである。
【課題を解決するための手段】
【０００４】  本考案は、下記のごとく構成された無線受信駆動装置１０であるが、これを電動式おもちゃの乗り物１００の電池収納部１０１にセットすることにより、電動式おもちゃの乗り物１００を無線で操縦できるようにしたものである。（図２、図４参照）
（イ）外観は円柱形状で、円柱形状の側面に電池５０を無線受信駆動装置電池収納部３０に出し入れするための扉開閉部１５を設ける。
（ロ）円柱形状の上底部に無線受信駆動装置電極端子Ａ１１を設ける。
（ハ）円柱形状の下底部に無線受信駆動装置電極端子Ｂ１２を設ける。
（ニ）円柱形状の内部に無線受信駆動装置受信基板部２０を設ける。
（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。
（ヘ）円柱形状の内部に電池５０を収納する無線受信駆動装置電池収納部３０を設ける。
（ト）無線受信駆動装置電池収納部３０に、収納する電池５０の正極端子５１と接合する無線受信駆動装置電池収納部正極端子３１を設ける。
（チ）無線受信駆動装置電池収納部３０に、収納する電池５０の負極端子５２と接合する無線受信駆動装置電池収納部負極端子３２を設ける。
（リ）無線受信駆動装置電池収納部正極端子３１と無線受信駆動装置受信基板部２０の昇圧装置２１は導線４３で結ばれている。
（ヌ）無線受信駆動装置電池収納部負極端子３２と無線受信駆動装置受信基板部２０の昇圧装置２１は導線４４で結ばれている。
（ル）無線受信駆動装置電極端子Ａ１１と無線受信駆動装置受信基板部２０の出力端子Ａ４１は導線４５で結ばれている。
（ヲ）無線受信駆動装置電極端子Ｂ１２と無線受信駆動装置受信基板部２０の出力端子Ｂ４２は導線４６で結ばれている。
【考案の効果】
【０００５】  本考案は、次の効果を生む。（図２、図４参照）
１：本考案を電動式おもちゃの乗り物１００の電池収納部１０１にセットすれば、無線操縦ができるようになるから、電動式おもちゃの乗り物１００を改造あるいは破棄したりせずに、そのまま生かすことができる。
２：本考案に特許出願２００２−１８３６４０（特許公開２００３−３３８８５３）の「発明の名称：識別データ新規作成等の手段を備えた送受信システム」（出願人：株式会社ブレイブ）を応用すると、次のようなことが可能になる。
２−１：電動式おもちゃの乗り物１００は、前進、後退、停止、加速、減速等ができるようになる。
２−２：一台の無線送信機１９で複数の電動式おもちゃの乗り物（１００Ａ、１００Ｂ・・・１００Ｎ・・）を操作でき、遊び方が変化に富むようになる。
２−３：さらに、複数の無線送信者が複数の電動式おもちゃの乗り物（１００Ａ、１００Ｂ・・・１００Ｎ・・）を操作でき、さらに遊び方が変化に富むようになる。
【考案を実施するための最良の形態】
【０００６】  以下、本考案を実施するための最良の形態を説明する。
（イ）外観は円柱形状で、円柱形状の側面に電池５０を無線受信駆動装置電池収納部３０に出し入れするための扉開閉部１５を設ける。
（ロ）円柱形状の上底部に無線受信駆動装置電極端子Ａ１１を設ける。
（ハ）円柱形状の下底部に無線受信駆動装置電極端子Ｂ１２を設ける。
（ニ）円柱形状の内部に無線受信駆動装置受信基板部２０を設ける。
（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。
（ヘ）円柱形状の内部に電池５０を収納する無線受信駆動装置電池収納部３０を設ける。
（ト）無線受信駆動装置電池収納部３０に、収納する電池５０の正極端子５１と接合する無線受信駆動装置電池収納部正極端子３１を設ける。
（チ）無線受信駆動装置電池収納部３０に、収納する電池５０の負極端子５２と接合する無線受信駆動装置電池収納部負極端子３２を設ける。
（リ）無線受信駆動装置電池収納部正極端子３１と無線受信駆動装置受信基板部２０の昇圧装置２１は導線４３で結ばれている。
（ヌ）無線受信駆動装置電池収納部負極端子３２と無線受信駆動装置受信基板部２０の昇圧装置２１は導線４４で結ばれている。
（ル）無線受信駆動装置電極端子Ａ１１と無線受信駆動装置受信基板部２０の出力端子Ａ４１は導線４５で結ばれている。
（ヲ）無線受信駆動装置電極端子Ｂ１２と無線受信駆動装置受信基板部２０の出力端子Ｂ４２は導線４６で結ばれている。
本考案は以上の構成よりなっている。
それを次に詳しく説明する。【０００７】  まず、「（イ）外観は円柱形状で、円柱形状の側面に電池５０を無線受信駆動装置電池収納部３０に出し入れするための扉開閉部１５を設ける。」「（ロ）円柱形状の上底部に無線受信駆動装置電極端子Ａ１１を設ける。」「（ハ）円柱形状の下底部に無線受信駆動装置電極端子Ｂ１２を設ける。」について説明する。（図１、図２、図４参照）
外観は円柱形状で、上底部に無線受信駆動装置電極端子Ａ１１と下底部に無線受信駆動装置電極端子Ｂ１２を設けるのは、［考案の効果］［０００５］で述べたように、本考案を電動式おもちゃの乗り物１００にそのまま生かすためである。【０００８】  電動式おもちゃの乗り物１００に使用されている電池の多くは、外観が円柱形状の乾電池であり、その電池収納部１０１に本考案をセットできるようにするためである。
こうすれば、電動式おもちゃの乗り物１００を改造したり破棄したりせずに、そのまま生かすことができるからである。【０００９】  無線受信駆動装置電池収納部３０に電池５０を出し入れするための扉開閉部１５を円柱形状の側面に設ける。図示しないが、この扉開閉部１５はスライド式や蓋式にしてもよい。【００１０】  次に、「（ニ）円柱形状の内部に無線受信駆動装置受信基板部２０を設ける。」「（ホ）無線受信駆動装置受信基板部２０は、昇圧装置２１、アンテナ２２、受信ＩＣ２３、同調回路２４、増幅回路２５、ＩＣ制御マイクロコンピューター２６、ＩＣモータードライバー２７、出力端子Ａ４１、出力端子Ｂ４２から構成されている。」について説明する。（図２、図３、図４参照）
昇圧装置２１は、無線受信駆動装置電池収納部３０に収納する電池５０の小さい電圧を、図３の無線受信駆動装置受信基板部２０のブロック図で示す、受信ＩＣ２３、同調回路２４、増幅回路２５、ＩＣ制御マイクロコンピューター２６、ＩＣモータードライバー２７などが必要とする大きい電圧に変えて、それぞれに送る働きをする。したがって、電動式おもちゃの乗り物１００を改造したり破棄したりせずに、そのまま生かすことができる。【００１１】  アンテナ２２は、無線送信機１９から発信された電磁波などを受け取り、受信ＩＣ２３に送る働きをする。【００１２】  受信ＩＣ２３と同調回路２４は、アンテナ２２が受け取った多くの電磁波の中から、電動式おもちゃの乗り物１００を動かすのに必要な電磁波を選び出し、それを増幅回路２５に送る働きをする。【００１３】  増幅回路２５は、受信ＩＣ２３と同調回路２４から送られてきた信号が微弱なため、ＩＣ制御マイクロコンピューター２６が必要とする強い信号に変えて、そこに送る働きをする。【００１４】  ＩＣ制御マイクロコンピューター２６には、特許出願２００２−１８３６４０（特許公開２００３−３３８８５３）の「発明の名称：識別データ新規作成等の手段を備えた送受信システム」（出願人：株式会社ブレイブ）を応用したプログラムなどが内蔵されている。それは、［考案の効果］［０００５］で述べたように、電動式おもちゃの乗り物１００を前進、後退、停止、加速、減速させるプログラムや複数の電動式おもちゃの乗り物（１００Ａ、１００Ｂ・・・１００Ｎ・・）を一台もしくは複数の無線送信機１９で操作するために識別コードを変えることができるプログラムなどである。
そして、ＩＣ制御マイクロコンピューター２６は、それらの信号をＩＣモータードライバー２７に送る働きをする。【００１５】  ＩＣモータードライバー２７は、ＩＣ制御マイクロコンピューター２６からの信号を受け、モーター１０７の回転数を変えるためにデューティーを変えたり、モーター１０７を反転させるために、出力を正極・負極逆に切り換えたりする働きをする。【００１６】  出力端子Ａ４１と出力端子Ｂ４２は、ＩＣモータードライバー２７から送られてくる出力電圧を無線受信駆動装置電極端子Ａ１１と無線受信駆動装置電極端子Ｂ１２につなぐ働きをする。【００１７】  次に、「（ヘ）円柱形状の内部に電池５０を収納する無線受信駆動装置電池収納部３０を設ける。」「（ト）無線受信駆動装置電池収納部３０に、収納する電池５０の正極端子５１と接合する無線受信駆動装置電池収納部正極端子３１を設ける。」「（チ）無線受信駆動装置電池収納部３０に、収納する電池５０の負極端子５２と接合する無線受信駆動装置電池収納部負極端子３２を設ける。」「（リ）無線受信駆動装置電池収納部正極端子３１と無線受信駆動装置受信基板部２０の昇圧装置２１は導線４３で結ばれている。」「（ヌ）無線受信駆動装置電池収納部負極端子３２と無線受信駆動装置受信基板部２０の昇圧装置２１は導線４４で結ばれている。」について説明する。（図２、図３参照）
無線受信駆動装置電池収納部３０に電池５０を収納して、電池５０の正極端子５１と無線受信駆動装置電池収納部正極端子３１を接合させ、その正極電流を導線４３で無線受信駆動装置受信基板部２０の昇圧装置２１に導く。
同様に、電池５０の負極端子５２と無線受信駆動装置電池収納部負極端子３２を接合させ、その負極電流を導線４４で無線受信駆動装置受信基板部２０の昇圧装置２１に導く。【００１８】  次に、「（ル）無線受信駆動装置電極端子Ａ１１と無線受信駆動装置受信基板部２０の出力端子Ａ４１は導線４５で結ばれている。」「（ヲ）無線受信駆動装置電極端子Ｂ１２と無線受信駆動装置受信基板部２０の出力端子Ｂ４２は導線４６で結ばれている。」について説明する。（図２、図３、図４参照）
ＩＣモータードライバー２７から出力端子Ａ４１に送られてくるモーター１０７を動かす（前進、後退、停止、加速、減速）出力電圧を、無線受信駆動装置電極端子Ａ１１に導線４５でつなぐ。
ＩＣモータードライバー２７から出力端子Ｂ４２に送られてくるモーター１０７を動かす（前進、後退、停止、加速、減速）出力電圧を、無線受信駆動装置電極端子Ｂ１２に導線４６でつなぐ。
【その他の実施例】
【００２０】  本考案の外観形状は円柱形状であるが、これを図５で示すように、箱型（直方体）形状にしてもよい。
【００２１】  本考案の外観形状は円柱形状であるが、図示しないが、ボタン電池型形状にしてもよい。
【図面の簡単な説明】
【００３０】
【図１】は、従来の電動式おもちゃの乗り物の内部を示す断面図である。
【図２】は、本考案の内部を示す断面図である。
【図３】は、本考案の無線受信駆動装置受信基板部２０の内部を示すブロック図とその周辺の配線図等である。
【図４】は、本考案を使用した電動式おもちゃの乗り物の内部を示す断面図である。
【図５】は、本考案の他の実施例を示す断面図である。
【符号の説明】
【００４０】  １０（Ａ、Ｂ）無線受信駆動装置    １１無線受信駆動装置電極端子Ａ
１２無線受信駆動装置電極端子Ｂ    １５扉開閉部    １９無線送信機
２０無線受信駆動装置受信基板部    ２１昇圧装置    ２２アンテナ
２３受信ＩＣ    ２４同調回路    ２５増幅回路
２６ＩＣ制御マイクロコンピューター    ２７ＩＣモータードライバー
３０（Ａ、Ｂ）無線受信駆動装置電池収納部
３１無線受信駆動装置電池収納部正極端子
３２無線受信駆動装置電池収納部負極端子
４１出力端子Ａ    ４２出力端子Ｂ
４３導線    ４４導線    ４５導線    ４６導線
５０（Ａ、Ｂ）電池    ５１電池正極端子    ５２電池負極端子
６０（Ａ、Ｂ）無線受信駆動装置収納部
６１無線受信駆動装置収納部電極端子Ａ
６２無線受信駆動装置収納部電極端子Ｂ
７０箱型無線受信駆動装置    ７１箱型無線受信駆動装置電池収納部
７２箱型無線受信駆動装置受信基板部
７３箱型無線受信駆動装置収納部電極端子Ｃ
７４箱型無線受信駆動装置収納部電極端子Ｄ
１００（Ａ、Ｂ、Ｎ）電動式おもちゃの乗り物    １０１電池収納部
１０２無線受信駆動装置電池収納部正極端子
１０３無線受信駆動装置電池収納部負極端子
１０４電池    １０５電池正極端子    １０６電池負極端子    １０７モーター
１０８（Ａ、Ｂ）スイッチ    １０９タイヤＡ    １１０タイヤＢ
１１１導線    １１２導線
【図１】
0003143765.tif 000003
【図２】
0003143765.tif 000004
【図３】
0003143765.tif 000005
【図４】
0003143765.tif 000006
【図５】
0003143765.tif 000007